(57)【要約】      （修正有）【課題】着用者の身体にしっかりフィットさせることが可能なリュックサックを提供する。【解決手段】リュックサック本体１０と、リュックサック本体に設けられた一対の肩ベルト２０とを備えてなるリュックサックにおいて、一対の肩ベルトの上端をリュックサック本体の上端に取り付け、肩ベルトの下端にアジャスターやリング部材２１といった調整部材を設け、リュックサック本体の中央部両端に調整部材に挿通可能であると共に、中途にアジャスターを介在させた一対の連結紐３０を取り付け、連結紐の下端をリュックサック本体の下端に着脱自在に取り付けて構成した。【選択図】図１
0003195625.tif 000002
【実用新案登録請求の範囲】
【請求項１】
リュックサック本体（１０）と、該リュックサック本体（１０）に設けられた一対の肩ベルト（２０）とを備えてなるリュックサックにおいて、
一対の肩ベルト（２０）の上端をリュックサック本体（１０）の上端に取り付けたこと、
肩ベルト（２０）の下端にリング部材（２１）を設けたこと、
リュックサック本体（１０）の中央部両端にリング部材（２１）に挿通可能な一対の連結紐（３０）を取り付けたこと、
連結紐（３０）の下端をリュックサック本体（１０）の下端に取り付けたこと、
を特徴とするリュックサック。
【請求項２】
リング部材（２１）に代えアジャスター（２２）を備えた請求項１に記載のリュックサック。
【請求項３】
連結紐（３０）自体にアジャスター（３３）を介在させ連結紐を伸縮自在にした請求項１又は請求項２に記載のリュックサック。
【請求項４】
連結紐（３０）の下端をリュックサック本体（１０）に対して着脱自在に設けた請求項１乃至請求項３いずれかに記載のリュックサック。
【考案の詳細な説明】
【技術分野】
【０００１】
本考案は、肩ベルトが設けられたリュックサックに関するものであり、より詳しくはリュックサック本体の荷重を分散可能である共に、着用者の身体にしっかりフィットさせることが可能なリュックサックに関するものである。
【背景技術】
【０００２】
従来、一般的なリュックサックとしては、例えば、図４に示すものが公知である。即ち、同図に示す如く、被収容物を収容可能なリュックサック本体１に二本の肩ベルト２が設けられてなり、前記肩ベルト２は、リュックサック本体１の上部に上端が逢着されたベルト本体３と、リュックサック本体１の下部に逢着された長さ調整可能な連結紐体４とが連結されて構成され、リュックサック本体１の上部から下部に掛け渡されてなるものである。
【０００３】
このようなリュックサックは、二本の肩ベルト２の内縁側から腕を通し、それぞれの左右の肩ベルト２を左右の肩に掛けることにより、リュックサック本体１に収容された被収容物の荷重を、肩全体で支持するものである。
【０００４】
身体にリュックサック本体をフィットさせることを目的としたリュックサックとして、特許文献１にはリュックサック本体の背当て部に縦ステーと、横ステーからなる背当てフレームを設け、縦ステーは緩やかなＳ字形状に形成し、横ステーは凹面形状に形成したリュックサックが開示されている。
【０００５】
特許文献２には肩ベルトとリュック本体の間に連結部材を介在させることで、背負う人の肩幅の広さ、首回りなどの体型にかかわらず、一定位置に荷重がかかるようにして、誰にもフィットしやすいリュックサックが開示されている。
【０００６】
特許文献３には肩ベルトのリュック本体への取り付け位置を可変とすることで、着用者へのフィット感を高めたリュックサックが開示されている。
【先行技術文献】
【特許文献】
【０００７】
【特許文献１】特開平８−３３６４２１号公報
【特許文献２】特開平９−２９４６２８号公報
【特許文献３】登録実用新案公報第３１１５６８１号
【考案の概要】
【考案が解決しようとする課題】
【０００８】
本考案もまた、上記先行特許文献と同様に、着用者の身体にしっかりフィットさせることが可能なリュックサックを提供することを目的とするものである。
【課題を解決するための手段】
【０００９】
上記の目的を達成する本考案の構成は次の通りである。
【００１０】
（１）  請求項１に記載の考案は、リュックサック本体と、該リュックサック本体に設けられた一対の肩ベルトとを備えてなるリュックサックにおいて、一対の肩ベルトの上端をリュックサック本体の上端に取り付け、肩ベルトの下端にリング部材を設け、リュックサック本体の中央部両端にリング部材に挿通可能な一対の連結紐を取り付け、連結紐の下端をリュックサック本体の下端に取り付けて構成した。
【００１１】
（２）  請求項２に記載の考案は、請求項１に記載のリュックサックにおいて、リング部材に代えアジャスターを用いて構成した。
【００１２】
（３）  請求項３に記載の考案は、請求項１又は請求項２に記載のリュックサックにおいて、連結紐自体にアジャスターを介在させ連結紐を伸縮自在に構成した。
【００１３】
（４）  請求項４に記載の考案は、請求項１乃至請求項３いずれかに記載のリュックサックにおいて、連結紐の下端をリュックサック本体に対して着脱自在に設けて構成した。
【考案の効果】
【００１４】
上記のように構成される本考案が、如何に作用して課題を解決するかを図面を参照しながら概説する。
【００１５】
図１や図３に示されるように、本考案にかかるリュックサックは荷重を支持する肩ベルト２０がリュックサック本体１０に対して三箇所で支持されることになる。すなわち肩ベルト２０の上端、連結紐３０の基端部３１及び連結紐３０の下端３２という三箇所で重量を分散して支持することから、リュックサックの身体へのフィット感が高まるものである。
【００１６】
また、請求項２に記載の考案においては、図３に示されるように肩ベルト２０の下端にアジャスター２２を取り付け、このアジャスター２２に連結紐３０を挿通してある。これにより連結紐３０の長さを調整することで、肩ベルト２０と連結紐３０によって囲まれる空間Ａの大きさを調整することが可能となる。空間Ａの大きさを適宜に調整することで、肩ベルト２０を脇下方向へ引っ張り、もってリュックを背負う者の肩幅が狭いような場合でも、リュック本体１０がずれにくい安定感・フィット感のあるリュックサックの提供が可能となるのである。更には空間Ａを小さくすれば肩が後方に引っ張られると共に背筋が伸び姿勢の矯正や、肩甲骨の矯正といった効果も期待できるものである。
【００１７】
請求項３に記載の考案においては、図３に示すように連結紐３０自体にアジャスター３３を介在させ連結紐３０を伸縮自在に設けてある。これにより肩ベルト２０を下方に引っ張ることが可能となり、リュック本体１０がずれにくい安定感・フィット感のあるリュックサックの提供が可能となるのである。
【００１８】
請求項４に記載の考案では、連結紐３０の下端をリュックサック本体１０に対して着脱自在に設けてある。連結紐３０の下端をリュックサック本体１０から解放すれば、肩ベルト２０の可動域が広がり、肩ベルト２０に腕を通す動作の容易性が高まり、リュックサックを簡単に背負うことが可能となるものである。
【図面の簡単な説明】
【００１９】
【図１】本考案を背面側から見た斜視図
【図２】本考案の肩ベルト下端付近の拡大説明図
【図３】本考案を正面側から見た斜視図
【図４】従来例を示す斜視図
【考案を実施するための形態】
【００２０】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２１】
図１、図３において、１０は、リュックサック本体で、該リュックサック本体１０は、図示されないスライドファスナーによって開閉自在に構成され、内部に荷物を収容可能なものである。
【００２２】
リュックサック本体１０には肩ベルト２０が一対取り付けられている。肩ベルト２０の上端はリュックサック本体１０に縫着されているが、下端はリュックサック本体１０に取り付けられていない。
【００２３】
肩ベルト２０は布体のみで構成してもよいし、あるいは緩衝材としての長尺状のスポンジをナイロン生地で覆うことによって構成してもよい。
【００２４】
請求項１に記載の考案においては、図２に示すように肩ベルト２０の下端にリング部材２１が取り付けられている。このリング部材２１に連結紐３０を挿通するものである。
【００２５】
請求項２に記載の考案においては、図３に示すようにリング部材２１に代えアジャスター２２を肩ベルト２０の下端に取り付けてある。このアジャスター２２には、連結紐３０が挿通されており、アジャスター２２と連結紐３０の基端部３１との距離を調整可能なものである。
【００２６】
リュックサック本体１０に一対取り付けられる連結紐３０は、基端部３１がリュックサック本体１０の中央部両端に縫着されている。下端部３２はリュックサック本体１０に縫着してもよいが、請求項４に記載の考案においては、着脱自在に取り付けられている。
【００２７】
着脱自在にする方法はバックル３４による。図２に示すようにバックル３４の凸部材３４ａを凹部材３４ｂに挿脱することで着脱自在なものと構成される。
【００２８】
請求項３に記載の考案においては、図２や図３に示すように、連結紐３０にアジャスター３３を介在させることで連結紐３０を伸縮自在に構成してある。
【００２９】
このアジャスター３３には、連結紐３０の一端部が挿通され、折り返して再び挿通されることにより、連結紐３０の長さが調整可能になるものである。
【符号の説明】
【００３０】
１０・・リュックサック本体
２０・・肩ベルト      
２１・・リング部材
２２・・アジャスター
３０・・連結紐
３３・・アジャスター
【図１】
0003195625.tif 000003
【図２】
0003195625.tif 000004
【図３】
0003195625.tif 000005
【図４】
0003195625.tif 000006